(57)【要約】【課題】電子機器の状態を報知する報知装置において、光源部から外装部の光透過部へ向けて照射される光の漏れ及び無駄なく光を供給可能とし、電子機器の状態を確実に報知することを目的としている。【解決手段】光源部から照射される光が光透過部を通り外部へ透過することで電子機器の状態を報知する報知装置であって、前記光源部と間隔をあけて配置され、前記光透過部を有する外装部と、前記光源部の周囲から前記外装部まで至る筒状部材であるとともに、該光源部から照射される照射光を内面で反射させながら前記光透過部へ導く光ガイドと、を備えたことを特徴とする報知装置。また、前記光源部と前記基板との間に設けられるスペーサーを備え、前記光ガイドと前記スペーサーの接触面には該光ガイド及び該スペーサーが互いに係合可能な係合部を備えている。【選択図】図１
2010097014.tif 000002
【特許請求の範囲】
【請求項１】
光源部から照射される光が光透過部を通り外部へ透過することで電子機器の状態を報知する報知装置であって、
前記光源部と間隔をあけて配置され、前記光透過部を有する外装部と、
前記光源部の周囲から前記外装部まで至る筒状部材であるとともに、該光源部から照射される照射光を内面で反射させながら前記光透過部へ導く光ガイドと、
を備えたことを特徴とする報知装置。
【請求項２】
前記光源部と前記基板との間に設けられるスペーサーを備え、
前記光ガイドと前記スペーサーの接触面には該光ガイド及び該スペーサーが互いに係合可能な係合部を備えたことを特徴とする請求項１記載の報知装置。
【発明の詳細な説明】
【技術分野】
【０００１】
本発明は、光源部から照射される光が光透過部を通り外部へ透過することで電子機器の状態を報知する報知装置に関するものである。
【背景技術】
【０００２】
多くの電子機器には非常事態や現在の状態を知らせるための報知部が存在する。装置の状態を報知する方法の1つとして光を用い、外装パネルの内部にある光源部から照射された光を外装パネルに設けられた光透過部から透過する方法がある。近年では、光源部にはＬＥＤが用いられている。光源部はスペーサーで支持されつつ基板に装着され、光源部を挟むようにして、基板と対向する位置に光源部と間隔をあけて外装パネルが装着される。外装パネルには光源部からの照射光を外部に透過可能な光透過部が設けられている。
【０００３】
光透過部は光源部から間隔をあけて設けられているので、光源部から照射される光が光透過部に届くまでに発散してしまい、透過光が低減することもある。透過光が低減してしまっては、ユーザにとってみにくい状態となり、電子機器の状態がユーザに報知されにくいのでよくない。そのため、非常事態などを報知するために用いられる赤色の光は割と見えやすいが、装置の状態を報知するために用いられる黄色や緑色の光は日中の明るい部屋では見えにくいという問題があった。
【０００４】
そこで特許文献１のように、テレビの受信機等において、ＬＥＤと、基板に取付けられたＬＥＤの光を通す導光ボスと、光を外部から見るレンズ窓を有する透明のプラスチック樹脂で一体成形したＬＥＤレンズとから成り、導光ボスの端面をＬＥＤに接近させて光の透過を良くしたことを特徴とするＬＥＤレンズ導光装置がある。しかし、特許文献１では、導光ボスの端面をＬＥＤに接近させてはいるものの、ＬＥＤの周囲を導光ボスにより完全に覆ってはいない。
【特許文献１】実開平４−８１１０１号公報
【発明の開示】
【発明が解決しようとする課題】
【０００５】
前記ＬＥＤレンズ導光装置では、導光ボスを用いて光源部から照射される光を導いてもＬＥＤの周囲を導光ボスにより完全に覆っていないことで、光源部から照射される光に漏れが生じている。よって、本発明はかかる課題に鑑みてなされたものであり、電子機器の状態を報知する報知装置において、光源部から外装部の光透過部へ向けて照射される光の漏れ及び無駄なく光を供給可能とし、電子機器の状態を確実に報知することを目的とする。
【課題を解決するための手段】
【０００６】
上記目的を達成するために、請求項１に記載の報知装置は、光源部から照射される光が光透過部を通り外部へ透過することで電子機器の状態を報知する報知装置であって、前記光源部と間隔をあけて配置され、前記光透過部を有する外装部と、前記光源部の周囲から前記外装部まで至る筒状部材であるとともに、該光源部から照射される照射光を内面で反射させながら前記光透過部へ導く光ガイドと、を備えたことを特徴としている。
【０００７】
請求項２に記載の報知装置は、請求項１の報知装置において、前記光源部と前記基板との間に設けられるスペーサーを備え、前記光ガイドと前記スペーサーの接触面には該光ガイド及び該スペーサーが互いに係合可能な係合部を備えたことを特徴としている。
【発明の効果】
【０００８】
請求項１に記載の報知装置によれば、光ガイドは光源部の周囲を覆いながら外装部の光透過部まで至っており、光源部から照射される光を漏れなく及び無駄なく光透過部まで導くことができる。これにより、黄色及び緑色いった一見日中では見にくいような色の光でも、ユーザが確実に認識することが可能となる。
【０００９】
請求項２に記載の報知装置によれば、光源部と基板との間に間隔が空いていてもスペーサーにより光源部を支持することができる。また、光ガイドとスペーサーは互いに係合可能な係合部を備えることで、光ガイドの位置決め及び互いにズレのない固定が可能となる。
【発明を実施するための最良の形態】
【００１０】
〔第１の実施形態〕
以下、本発明の実施形態に係る報知装置について図面に基づいて説明する。図１は、本実施例に係る報知装置１の構成を示す概略図である。電子機器と言えば、例えばスキャナ機能、コピー機能、プリンタ機能、ＦＡＸ機能の一部又は全部を備えた複合機がある。それらの電子機器のエラー状態、通信の状態、節電の状態及び電源ＯＮ状態などを表す手段として図に示すような報知装置１がある。本報知装置１は、光源部３とリード線４，４とから成る発光体２と、光源部底面３ａを支持するスペーサー５と、基板６と、光源部３と間隔をあけて配置された外装パネル８と、光ガイド１１とから成る。
【００１１】
発光体２は、光を照射する部分である1つの光源部３と、光源部３を支持する２本のリード線４，４から形成されるＬＥＤ（Light
Emitting Diode）である。発光体２はスペーサー５により光源部底面３ａを支持され、基板６に装着されている。リード線４が長いものはスペーサー５による支持がないと不安定になる。挿通孔７，７は基板６に設けられている。そして、リード線４，４は基板６に設けられた挿通孔７，７に挿通され、基板底面６ａでハンダ付けして強く固定されている。スペーサー５の形状は発光体２のリード線４を収納可能且つ光源部３を支持できるものであれば形状は問わない。また、発光体２を形成するリード線４の本数及び挿通孔７の数は互いに対応する数が設けられているならば数は問わない。外装パネル８は、光源部３を挟むようにして、基板６と対向する位置に、光源部３と間隔をあけて装着される。外装パネル８は、光透過部９と光不透過部１０からなる。光透過部９は光源部３から照射された光を透過する部分であり、光不透過部１０は光を透過しない部分である。光透過部９は光源部３から照射される光を透過する樹脂を用いており、光不透過部１０は光源部３から照射される光を透過しない樹脂を用いている。光透過部９は、光を透過するものであれば、透明色でも半透明色でも色は問わない。
【００１２】
光源部３から照射された光を光透過部９へ漏れなく誘導するために光ガイド１１が設けられている。光ガイド１１は、円筒形の形状をしており、内面には光が反射可能な反射素材部１２が用いられている。例えば、光ガイド１１は光を効率よく通過させることができる素材であるガラスや樹脂を使用する。反射素材部１２を用いることで、光源部３から照射される光を光ガイド１１の内面で反射させながら、光透過部９まで導くことができる。光透過部９へ確実に光を導くために、光ガイド１１の上端部分である光ガイド上面１１ａと外装パネル８は密接している。また、光透過部９は円形をしており、その直径は円形をした光ガイド１１の内径と同径又は光ガイド１１の内径よりも大きいことが望ましい。しかし、光透過部９の形状は円形に限定されない。
【００１３】
光ガイド１１は、光源部３の最大径部分の周囲を囲み、光源部３の全てを覆うように設けられている。すなわち、光ガイド１１の下端は光源部底面３ａと同じ高さまで延びており、光源部３の全てが光ガイド１１の内部空間内に位置している。よって光源部３から照射される光を光透過部９まで漏れることなく導くことができる。光ガイド１１の内径は、大きすぎては光の反射空間を広げてしまうことになり、光ガイド１１を設ける意味がなくなってしまうので小さい径のものが良い。例えば、光ガイド１１の内径は光源部３の最大径の２倍以内が望ましい。
【００１４】
光ガイド１１の下端部分である光ガイド底面１１ｂには２つの凸部１３，１３が設けられており、スペーサー５には凸部１３，１３と対応する形状の凹部１４，１４が２つ設けられている。凸部１３，１３と凹部１４，１４は互いに係合しており、光ガイド底面１１ｂとスペーサー５は密接して配置される。２つずつ設けられた凸部１３及び凹部１４は、凸部１３が凹部１４に入り込むことにより強く係合している。よって光ガイド１１がスペーサー５から外れにくくなっている。凸部１３及び凹部１４の個数は、２つ設けられるのが望ましいが、それぞれ対応する個数があれば数は問わない。また、形状に関しても係合可能であれば、形状は問わない。凸部１３と凹部１４が係合されることによって光ガイド底面１１ｂはスペーサー５との間に隙間を作らず強く固定される。
【００１５】
光ガイド上面１１ａは外装パネル８と密接し、光ガイド底面１１ｂはスペーサー５と密接することで、光源部３から照射された光は光ガイド底面１１ｂからも光ガイド上面１１ａからも漏れることなく光透過部９へと導かれる。光が漏れる無駄が無いので大変効率が良い。
【００１６】
図２は、図１に示す光ガイド１１単体を示した斜視図である。図２は、円筒形状の光ガイド１１を光ガイド底面１１ｂ側の斜め下方から見ている図である。光ガイド１１は、内径及び外径の大きさがそれぞれ軸方向に一定な円筒形状である。すなわち、光ガイド１１の厚みは均一である。光ガイド底面１１ｂには、スペーサー５と係合可能な２つの凸部１３，１３が設けられている。凸部１３，１３は配置されたときのバランスをよくするために、円周方向に約１８０度離れた位置に設けられている。また、円筒形状の光ガイド１１の厚さは、光ガイド底面１１ｂに凸部１３，１３が設けられる程の厚みが必要である。
【００１７】
〔第２の実施形態〕
図３は、報知装置２０に光ガイド２１を用いた構成を示す概略図である。図１と共通部品の説明は重複を避けるため省略する。光源部３から照射された光を光透過部９へ漏れなく誘導するために光ガイド２１が設けられている。光ガイド２１は、上端部から中央部にかけては円筒形をした大径部２２からなり、下端部は円筒形をした小径部２３からなる。光ガイド２１の内面には反射可能な反射素材部１２が用いられている。光透過部９へ確実に光を導くために、光ガイド２１の上端部分である光ガイド上面２１ａと外装パネル８は密接している。
【００１８】
円筒形状をした大径部２２は、光源部３の最大径部分の周囲を囲み、光源部３の全てを覆うように設けられている。すなわち、大径部２２の下端は光源部底面３ａと同じ高さまで延びており、光源部３の全てが光ガイド２１（大径部２２）の内部空間内に位置している。よって光源部３から照射される光を光透過部９まで漏れることなく導くことができる。光ガイド２１の大径部２２は、大きすぎては光の反射空間を広げてしまうことになり、光ガイド２１を設ける意味がなくなってしまうので小さい径のものが良い。例えば、光ガイド２１の大径部２２の内径は光源部３の最大径の２倍以内が望ましい。
【００１９】
一方、円筒形状をした小径部２３は、スペーサー５と嵌合している。光ガイド２１は、スペーサー５で小径部２３を囲み込むように設置される。光ガイド２１の小径部２３の小径部外面２４には２つの凸部２５，２５が設けられており、スペーサー５には凸部２５，２５と対応する形状の凹部２６，２６が２つ設けられている。凸部２５，２５と凹部２６，２６は互いに係合している。光ガイド２１の小径部外面２４とスペーサー５は密接して配置される。２つずつ設けられた凸部２５及び凹部２６の一方同士は確実に係合し、他方同士は遊びを持って係合される。凸部２５及び凹部２６の個数は、２つ設けられるのが望ましいが、それぞれ対応する個数があれば数は問わない。また、形状に関しても係合可能であれば、形状は問わない。発光体２は光ガイド２１に設けられた光源部支持面２１ｂにより光源部底面３ａを支持され、基板６に装着されている。光源部支持面２１ｂは、大径部２２と小径部２３との繋ぎ部分に設けられ、大径部２２と小径部２３との内径の大きさの差を利用した段差に当たる部分である。
【００２０】
光ガイド上面２１ａは外装パネル８と密接し、光源部底面３ａは光源部支持面２１ｂと密接することで、光源部３から照射された光は小径部外面２４からも光ガイド上面２１ａからも漏れることなく光透過部９へと導かれる。光が漏れる無駄が無いので大変効率が良い。また、光源部３と光ガイド２１とが密接しているので、スペーサー５と小径部外面２４との間に僅かな隙間が存在したとしても光は漏れることはない。
【００２１】
図４は、図３に示す光ガイド２１単体を示した斜視図である。光ガイド２１は、上端部から中央部にかけては円筒形をした大径部２２からなり、下端部は円筒形状をした小径部２３からなる。光ガイド２１は、径の大きさが大小それぞれ異なる円筒形状の部材が軸方向に連結した形状をしている。大径部２２及び小径部２３は、内径及び外径の大きさがそれぞれ軸方向に一定な円筒形状である。図３は、光ガイド２１を光ガイド上面２１ａ側の斜め上方から見ている図である。光ガイド２１の小径部外面２４には、スペーサー５と係合可能な２つの凸部２５，２５が設けられている。凸部２５，２５は配置されたときにバランスをよくするために、光ガイド２１の円周方向に約１８０度離れた位置に設けられている。また、円筒形状の光ガイド２１の大径部２２及び小径部２３の厚さは、それぞれ均一である。さらに大径部２２と小径部２３の繋ぎ部分には、大径部２２の内径と小径部２３の内径の大きさの差の分だけの繋ぎ面である光源部支持面２１ｂがある。光源部支持面２１ｂは平坦且つ光源部３を支持するためだけの面積が必要である。
【００２２】
〔第３の実施形態〕
図５は、報知装置３０に光ガイド３１を用いた構成を示す概略図である。図１と共通部品の説明は重複を避けるため省略する。光源部３から照射された光を光透過部９へ漏れなく誘導するために光ガイド３１が設けられている。上端部から中央部にかけては円筒形をした小径部３２、下端部は円筒形をした大径部３３からなる光ガイド３１は、内面には反射可能な反射素材部１２が用いられている。光透過部９へ確実に光を導くために、光ガイド３１の上端部である光ガイド上面３１ａと外装パネル８は密接している。
【００２３】
円筒形状をした小径部３２は、光源部３の最大径部分の周囲を囲み、光源部３の全てを覆うように設けられている。すなわち、小径部３２の下端は光源部底面３ａと同じ高さまで延びており、光源部３の全てが光ガイド３１（小径部３２）の内部空間内に位置している。よって光源部３から照射される光を光透過部９まで漏れることなく導くことができる。光ガイド３１の小径部３２は、大きすぎては光の反射空間を広げてしまうことになり、光ガイド３１を設ける意味がなくなってしまうので小さい径ものが良い。例えば、光ガイド３１の小径部３２の内径は光源部３の最大径の２倍以内が望ましい。
【００２４】
一方、円筒形状をした大径部３３は、スペーサー５と嵌合している。光ガイド３１は、大径部３３の内面でスペーサー５を囲み込むように設置される。光ガイド３１の大径部２２の大径部内面３４には２つの凸部３５，３５が設けられており、スペーサー５には凸部３５，３５と対応する形状の凹部３６，３６が２つ設けられている。凸部３５，３５と凹部３６，３６は互いに係合している。光ガイド３１の大径部内面３４とスペーサー５は密接して配置される。２つずつ設けられた凸部３５及び凹部３６の一方同士は確実に係合し、他方同士は遊びを持って係合される。凸部３５及び凹部３６の個数は、２つ設けられるのが望ましいが、それぞれ対応する個数があれば数は問わない。また、形状に関しても係合可能であれば、形状は問わない。発光体２はスペーサー５により光源部底面３ａを支持され、基板６に装着されている。小径部３２と大径部３３との繋ぎ部分に設けられた、小径部３２と大径部３３との内径の大きさの差を利用した段差に当たる接触面３７は、スペーサー５の上面と接する。
【００２５】
光ガイド上面３１ａは外装パネル８と密接し、光源部底面３ａがスペーサー５の上面と密接することで、光源部３から照射された光は大径部内面３４からも光ガイド上面３１ａからも漏れることなく光透過部９へと導かれる。光が漏れる無駄が無いので大変効率が良い。また、光源部３とスペーサー５とが密接しているので、スペーサー５と大径部内面３４との間に僅かな隙間が存在したとしても光は漏れることはない。
【００２６】
光ガイド３１は、上端部から中央部にかけては円筒形をした小径部３２からなり、下端部は円筒形状をした大径部３３からなる。光ガイド３１は、径の大きさが大小それぞれ異なる円筒形状の部材が軸方向に連結した形状をしている。小径部３２及び大径部３３は、内径及び外径の大きさがそれぞれ軸方向に一定な円筒形状である。光ガイド３１の大径部内面３４には、スペーサー５と係合可能な２つの凸部３５，３５が設けられている。凸部３５，３５は配置されたときにバランスをよくするために、光ガイド３１の円周方向に約１８０度離れた位置に設けられている。また、円筒形状の光ガイド３１の小径部３２及び大径部３３の厚さは、それぞれ均一である。さらに小径部３２と大径部３３の繋ぎ部分には、小径部３２の内径と大径部３３の内径の大きさの差の分だけの繋ぎ面である、スペーサー５との接触面３７がある。
【００２７】
〔第４の実施形態〕
図６は、報知装置４０に光ガイド４１を用いた構成を示す概略図である。図１と共通部品の説明は重複を避けるため省略する。光源部３から照射された光を光透過部９へ漏れなく誘導するために光ガイド４１が設けられている。ガイド４１は、円筒形の形状をしており、内面には反射可能な反射素材部１２が用いられている。光透過部９へ確実に光を導くために、光ガイド４１の上端部である光ガイド上面４１ａと外装パネル８は密接している。
【００２８】
円筒形状をした光ガイド４１は、光源部３の最大径部分の周囲を囲み、光源部３の全てを覆うように設けられている。すなわち、光ガイド４１の下端は光源部底面３ａと同じ高さまで延びており、光源部３の全てが光ガイド３１の内部空間内に位置している。よって光源部３から照射される光を光透過部９まで漏れることなく導くことができる。光ガイド４１の内径は、大きすぎては光の反射空間を広げてしまうことになり、光ガイド４１を設ける意味がなくなってしまうので小さい径ものが良い。例えば、光ガイド５１の内径は光源部３の最大径の２倍以内が望ましい。
【００２９】
光ガイド４１の下端部である光ガイド底面４１ｂには２つの凸部４２，４２が設けられており、基板６には凸部４２，４２と対応する形状の凹部４３，４３が２つ設けられている。凸部４２，４２と凹部４３，４３は互いに係合しており、光ガイド底面４１ｂと基板６は密接して配置される。２つずつ設けられた凸部４２及び凹部４３の一方同士は確実に係合し、他方同士は遊びを持って係合される。凸部４２及び凹部４３の個数は、２つ設けられるのが望ましいが、それぞれ対応する個数があれば数は問わない。また、形状に関しても係合可能であれば、形状は問わない。
【００３０】
光ガイド上面４１ａは外装パネル８と密接し、光ガイド底面４１ｂは基板６と密接することで、光源部３から照射された光は光ガイド底面４１ｂからも光ガイド上面４１ａからも漏れることなく光透過部９へと導かれる。光が漏れる無駄が無いので大変効率が良い。光ガイド４１の形状の詳細については図２と同様である。
【００３１】
〔第５の実施形態〕
図７は、報知装置５０に光ガイド５１及び外装パネル５２を用いた構成を示す概略図である。図７に示す例は、光が透過する素材である光透過部５３のみから形成されている外装パネル５２を使用した場合の例である。光ガイド５１はこの場合にも使用可能である。
【００３２】
以上より、光ガイドが光源部の周囲を覆いながら外装部の光透過部まで至ることで、光源部から照射される光を漏れなく及び無駄なく光透過部まで導くことができる。よって、黄色及び緑色いった一見日中では見にくいような色の光も、外部から確実に認識することが可能となる。また、光源部を支持するスペーサーと光ガイドとを互いに結合可能にする係合部を備えるので、位置決め及び互いにズレのない固定が可能となる。
【図面の簡単な説明】
【００３３】
【図１】第１の実施例を示す概略図
【図２】光ガイド１１単体を示した斜視図
【図３】第２の実施例を示す概略図
【図４】光ガイド２１単体を示した斜視図
【図５】第３の実施例を示す概略図
【図６】第４の実施例を示す概略図
【図７】第５の実施例を示す概略図
【符号の説明】
【００３４】
１，２０，３０，４０，５０，      報知装置
２      発光体
３      光源部
３ａ    光源部底面
４      リード線
５      スペーサー
６      基板
６ａ    基板底面
７      挿通孔
８      外装パネル
９      光透過部
１０      光不透過部
１１，２１，３１，４１，５１，      光ガイド
１１ａ，２１ａ，３１ａ，４１ａ，５１ａ      光ガイド上面
１１ｂ    光ガイド底面
１２      反射素材部
１３，２５，３５，４５，      凸部
１４，２６，３６，４６，      凹部
２１ｂ，５１ｂ      光ガイド底面
２２      大径部
２３      小径部
２４      小径部外面
３２      小径部
３３      大径部
３４      大径部内面
３７      接触面
４２      小径部
４３      大径部
４４      円筒形大径部
４４ａ    円筒形大径部内面
４７      接触面
６２      外装パネル
６３      光透過部
【図１】
2010097014.tif 000003
【図２】
2010097014.tif 000004
【図３】
2010097014.tif 000005
【図４】
2010097014.tif 000006
【図５】
2010097014.tif 000007
【図６】
2010097014.tif 000008
【図７】
2010097014.tif 000009